(57)【要約】【課題】チップシールの分割位置を最適化して、圧縮した冷媒の漏れを確実に防止すると共に、容量の相違する圧縮機におけるチップシールの共用化により、スクロール型圧縮機のコストダウンを図る。【解決手段】チップシール３０を複数に分割すると共に、スクロール部材１０の渦巻状の壁部１３、１４の巻き始め側のシール溝２０に装着されるチップシール３０の終端３１を、少なくとも圧縮工程において三つの圧縮室４０、４２が連通して三室混合を生じた直後における前記スクロール部材１０の壁接触点１６と共に、前記壁部の巻き始め側の位置から伸開角３６０°の位置に指向する伸開線（Ｌ）上で一致する位置まで伸ばすように形成する。【選択図】図１
2012215131.tif 000002
【特許請求の範囲】
【請求項１】
相互に噛み合わされて複数の圧縮室を形成する固定スクロールと可動スクロールとからなるスクロール部材を具備し、該スクロール部材の渦巻状の壁部にシール溝を設けてチップシールを装着したスクロール型圧縮機において、
前記チップシールを複数に分割すると共に、前記壁部の巻き始め側のシール溝に装着されるチップシールの終端を、少なくとも圧縮工程において三つの圧縮室が連通して三室混合を生じた直後における前記スクロール部材の壁部の接触点と、伸開線上で一致する位置まで伸びるように形成することを特徴とするスクロール型圧縮機。
【請求項２】
請求項１記載のスクロール型圧縮機において、
前記壁部の巻き始め側のシール溝に装着されるチップシールの終端を、前記伸開線上で一致する位置より僅かに伸びるように形成することを特徴とするスクロール型圧縮機。
【発明の詳細な説明】
【技術分野】
【０００１】
本発明は、スクロール型圧縮機に関し、一層詳細には、固定スクロールに対して可動スクロールを旋回させることにより圧縮機内部において流体を圧縮するスクロール型圧縮機に関する。
【背景技術】
【０００２】
従来から、固定板と該固定板に直立した渦巻状の固定壁を有する固定スクロールと、可動板と該可動板に直立した渦巻状の可動壁を前記固定壁に噛み合わせるように配置した可動スクロールとを、ハウジングの内部に備えるスクロール型圧縮機が知られている。
【０００３】
このスクロール型圧縮機は、前記渦巻状の固定壁と渦巻状の可動壁とが噛み合うように配置されて、冷媒を圧縮する圧縮室が形成される。そして、前記渦巻状の固定壁および渦巻状の可動壁の少なくとも一方の壁部の先端には、その渦巻き方向に沿ってシール溝が設けられている。そして、このシール溝には、チップシールが装着されている。
【０００４】
しかるに、前記チップシールは、前記圧縮室における低圧冷媒と高圧冷媒との圧力差に基づいて、溝の底部から浮き上がり対向するスクロールの基板に密着する。これにより、作動室から前記噛み合うように配置されたスクロール部材の間から冷媒が漏れることを防止している。
【０００５】
しかるに、従来のスクロール型圧縮機においては、シール溝を伸開角３６０°より短い範囲にし、渦巻状の壁部の巻き始め側と、その巻き終わり側で均一にチップシールが浮き上がるようにして、シール性を向上し、漏れを抑えることができるようにすることが提案されている（例えば、特許文献１参照）。
【０００６】
すなわち、前記従来のスクロール型圧縮機によれば、固定スクロールと可動スクロールの両方またはどちらか一方の渦巻状の壁部（ラップ）の巻き始めの先端と、前記壁部（ラップ）の巻き終わりの先端に、それぞれ伸開角３６０°よりも短い範囲のシール溝を設け、前記巻き始め側のシール溝と前記巻き終わり側のシール溝に、チップシールを分割して嵌め込み装着するものである。
【先行技術文献】
【特許文献】
【０００７】
【特許文献１】特開２００８−１５７１２１号公報
【発明の概要】
【発明が解決しようとする課題】
【０００８】
上述したようなスクロール型圧縮機においては、スクロール部材におけるチップシールのシール性を改善するために、チップシールを分割構造としているが、他方において、容量の相違するスクロール部材に対し、チップシールをそれぞれ共用して用いるために、複数に分割するという要求もある。
【０００９】
しかしながら、前記従来技術に示されるように、スクロール部材の渦巻状の壁部（ラップ）の巻き始めから伸開角３６０°より短い範囲に設けたシール溝に、チップシールを分割して嵌め込んだ場合には、分割したチップシールの間から圧縮した冷媒が漏れ、圧力が低下するという問題がある。
【００１０】
本発明は、前記の課題を考慮してなされたものであり、相互に噛み合わされて複数の圧縮室を形成する固定スクロールと可動スクロールとからなるスクロール部材を具備し、少なくとも一方のスクロール部材の渦巻状の壁部の先端にシール溝を設けて複数に分割したチップシールを装着する場合において、前記チップシールの分割位置を最適化して、圧縮した冷媒の漏れを確実に防止すると共に、容量の相違する圧縮機におけるチップシールの共用化により、コストダウンを図ることができるスクロール型圧縮機を提供することを目的とする。
【課題を解決するための手段】
【００１１】
前記の目的を達成するため、本発明は、相互に噛み合わされて複数の圧縮室を形成する固定スクロールと可動スクロールとからなるスクロール部材を具備し、該スクロール部材の渦巻状の壁部にシール溝を設けてチップシールを装着したスクロール型圧縮機において、
前記チップシールを複数に分割すると共に、前記壁部の巻き始め側のシール溝に装着されるチップシールの終端を、少なくとも圧縮工程において三つの圧縮室が連通して三室混合を生じた直後における前記スクロール部材の壁部の接触点と、伸開線上で一致する位置まで伸びるように形成することを特徴とする。
【００１２】
本発明によれば、チップシールを複数に分割する場合において、スクロール部材の渦巻状の壁部の巻き始め側のシール溝に装着されるチップシールの終端を、少なくとも圧縮工程において三つの圧縮室が連通して三室混合を生じた直後における前記スクロール部材の壁部の接触点と、伸開線上で一致する位置まで伸ばすことにより、高圧圧縮室からの圧縮冷媒の漏れを確実に防止することができる。そして、このように形成するチップシールは、容量の異なる圧縮機において共用することができる。
【００１３】
なお、本発明における前記伸開線は、前記スクロール部材の渦巻状の壁部の巻き始めの位置から伸開角約３６０°の位置に指向する直線として設定される。
【００１４】
また、本発明において、前記壁部の巻き始め側のシール溝に装着されるチップシールの終端を、前記伸開線上で一致する位置より僅かに伸びるように形成する。すなわち、このようにチップシールの終端を、その製造誤差を加味して長めに設定することにより、圧縮冷媒の漏れを確実に防止することができる。
【発明の効果】
【００１５】
本発明によれば、以下の効果が得られる。
【００１６】
スクロール型圧縮機のスクロール部材に設けるチップシールを複数に分割して設ける場合において、スクロール部材の中央部の高圧圧縮室を形成する渦巻状の壁部に設置されるチップシールの長さを、最適化することができ、高圧圧縮室からの圧縮冷媒の漏れを確実に防止することができる。このように形成するチップシールは、容量の異なる圧縮機において共用することができる。すなわち、前記渦巻状の壁部の外周側に設ける分割されたチップシールのみを、複数種類設けることにより、容量の異なる圧縮機に容易に対応することができる。従って、前記渦巻状の壁部の内周側に設けるチップシールを共用化することにより、スクロール型圧縮機のコストダウンを達成することができる。
【図面の簡単な説明】
【００１７】
【図１】図１Ａは本発明の実施の形態に係るスクロール型圧縮機におけるスクロール部材に設けられるチップシールの構成を示す概略説明図、図１Ｂは図１Ａの要部拡大説明図である。
【図２】図１の本発明の実施の形態におけるスクロール部材の圧縮工程により形成される最終圧縮室と中間圧縮室についての冷媒の圧力特性を示す波形図である。
【発明を実施するための形態】
【００１８】
本発明に係るスクロール型圧縮機について、好適な実施の形態を挙げ、添付の図面を参照しながら以下詳細に説明する。
【００１９】
図１は、本発明の実施の形態によるスクロール型圧縮機におけるスクロール部材１０としての固定スクロール１１と可動スクロール１２とを示す。そして、これらの固定スクロール１１と可動スクロール１２は、それぞれ渦巻状の固定壁（壁部）１３および可動壁（壁部）１４の先端に、それぞれシール溝２０が設けられ、これらのシール溝２０に分割されたチップシール３０が嵌め込み装着されている。
【００２０】
そこで、本実施の形態におけるスクロール部材１０においては、前記固定スクロール１１および可動スクロール１２の固定壁１３および可動壁１４のそれぞれ巻き始め側に設けられたチップシール３０、３０の終端３１を、少なくとも圧縮工程において形成される中央部の最終圧縮室４０と二つの中間圧縮室４２、４２とが連通して圧縮冷媒の三室混合を生じた直後における前記スクロール１１、１２の壁接触点１６、１６と、伸開線Ｌ上で一致する位置まで伸びるように形成する。なお、この場合、前記伸開線Ｌは、前記各スクロール１１、１２の渦巻状の固定壁１３および可動壁１４のそれぞれ巻き始めの位置から伸開角３６０°の位置に指向する直線として設定される。
【００２１】
次に、本発明の実施の形態に係るスクロール型圧縮機におけるスクロール部材１０の作用効果について説明する。
【００２２】
図２は、本実施の形態におけるスクロール部材の圧縮工程により形成される最終圧縮室と中間圧縮室についての冷媒の圧力特性を示すものである。すなわち、前述したように、チップシール３０、３０の終端３１を、圧縮工程において形成される中央部の最終圧縮室４０と二つの中間圧縮室４２、４２とが連通して圧縮冷媒の三室混合を生じた直後における前記スクロール１１、１２の壁接触点１６、１６と、伸開線Ｌ上で一致する位置まで伸びるように形成することにより、前記三室が連通した状態で圧縮冷媒がさらに圧縮され、一定圧以上で中央の吐出口から吐出される範囲（高圧区間）において圧縮冷媒の漏れを確実に防止することができる。
【００２３】
従って、本実施の形態によれば、前述したようにチップシール３０、３０の分割位置を適正化することにより、圧縮冷媒の漏れを確実に防止することができると共に、従来技術に比較して、圧縮効率、体積効率および冷凍サイクルの効率の向上に寄与することができる。
【００２４】
以上、本発明に係るスクロール型圧縮機は、上述の実施の形態に限らず、本発明の要旨を逸脱することなく、種々の構成を採り得ることはもちろんである。
【符号の説明】
【００２５】
１０…スクロール部材                      １１…固定スクロール
１２…可動スクロール
１３…渦巻状の固定壁（壁部）
１４…渦巻状の可動壁（壁部）              １６…壁接触点
２０…シール溝                            ３０…チップシール
３１…チップシールの終端                  ４０…最終圧縮室
４２…中間圧縮室                          Ｌ…伸開線
【図１】
2012215131.tif 000003
【図２】
2012215131.tif 000004